(57)【要約】      （修正有）【課題】ゲーム機や携帯電話デンキーなどで２回の入力でひらがながうてる方法を提供する。【解決手段】ひらがな入力キーのみではなく、ひらがな入力キーを２つにわけることで可能で、両手親指で入力すると早くうてる。しかもゲーム機のようなコントローラーでもひらがなが入力できる。携帯電話デンキーなどでもひらがな入力ができる。【選択図】図２
2008015999.tif 000002
【特許請求の範囲】
【請求項１】
コンピューターでひらがなを早く入力する方法
【請求項２】
ゲーム機やテンキーなどの入力キーでひらがなを早く入力する方法
【発明の詳細な説明】
【技術分野】
【０００１】本発明はゲーム機や携帯電話デンキーなどで２回の入力でひらがながうてる方法
【背景技術】
【０００２】
2008015999.tif 000003
【発明の開示】
【発明の効果】
【０００３】
2008015999.tif 000004
【図面の簡単な説明】
【０００４】
【図１】はうちかたの番号表
【図２】はぐたいてきなうちかたの説明
【符号の説明】
【０００５】▲１▼、▲２▼は両手親指で入力すると早くうてる▲３▼ばんのようなかたちにすると｛いうえお｝キーを親指  その他のキーを早く入力できる
【図１】
2008015999.tif 000005
【図２】
2008015999.tif 000006
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
ひらがなと数字の対応表
【表１】
2008015999.tif 000007
この、ひらがなと数字の対応表は、表の記号や数字、文字、絵などの表示が、かわったとしても、概念が同じであるならば、同類であるとみなす。この、ひらがなと数字の対応表に、記載されている、ひらがな以外の文字や記号や小文字、数字、絵などは、あいている入力キーで補足する。あるいは文字や数字記号、絵などを使いやすいように、入れかえてもよい。
この、ひらがなと数字の対応表は  １の行から０の行までの数字と▲１▼の段から▲５▼の段までの数字の組みあわせで、ひらがな（文字、記号、数字、絵など）を表すことができる。この、ひらがなに対応している数字（ひらがな、記号、文字、絵など）を画面に表示させ、選択するようにしてもかまわない。
【請求項２】
コンピューター、パーソナルコンピュータ、携帯電話端末、デジタル家電ゲーム機などでの、ひらがな（文字、記号、絵、数字など）の入力を、この、ひらがなと数字の対応表をもちいて、ほとんど１回〜２回入力キーを押すことによって、入力できるようにした方法。
【請求項３】
コンピューター、パーソナルコンピューター、携帯電話端末、デジタル家電、ゲーム機などの、ひらがな（文字、記号、絵、数字など）の入力を  この、ひらがなと数字の対応表をもちいて、ほとんど１回〜２回入力キーを押すだけで、入力できるようにした、コンピューター、パーソナルコンピューター、携帯電話端末、デジタル家電、ゲーム機などの機能、および装置。
ひらがな（文字、記号、絵、数字など）入力キーや画面表示や形状、デザインなど使いやすいようにならべかえてもよい。
【請求項４】
この、ひらがなと数字の対応表をもちいて、ひらがな（文字、記号、絵、数字など）の入力を、ほとんど１回〜２回で入力キーを押すことによって、入力できるようにした、コンピューター、パーソナルコンピューター、携帯電話端末、デジタル家電、ゲーム機などを、動作させる、（プログラムソフト、アプリケーションソフトなど）もの。
【手続補正２】
【補正対象書類名】明細書
【補正対象項目名】全文
【補正方法】変更
【補正の内容】
【発明の詳細な説明】
【技術分野】
【０００１】本発明は、コンピュータ、パーソナルコンピュータ、携帯電話端末、デジタル家電、ゲーム機などの、ひらがな（文字、記号、絵など）を、ひらがなと数字の対応表をもちいて  ほとんどのひらがな（文字、記号、絵など）を１回か２回で早く入力できる方法、文字入力装置、プログラムソフト。
【背景技術】
【０００２】・従来、パーソナルコンピュータはキーボードを両手１０本の指でタッチタイピングをする場合、１回ないし２回、片手打ちでも１回か２回で、ひらがなを入力するが、文字数が多く広範囲である。
携帯電話端末、テンキーにおいては、ひらがなの▲あ▼を入力する時は１回入力キーを押して入力できるが▲お▼を入力する時は５回も入力キーを押さないと入力できない。
・言葉のうまく話せない人や耳の不自由な方は手話などを使うが、手話は覚えた人はわかるが覚えていない人にはわからない。とっさに確実に話をするすべがなかった。
・従来のひらがな（文字、記号、絵）入力は回数が多かったのでゲーム機などのコントローラーのような形では、入力するのには無理があった。
【産業上の利用可能性】
【０００３】コンピュータ、パーソナルコンピュータではテンキーをもちいてひらがな（文字、記号、絵、数字などを、このひらがなと数字の対応表をもちいて  ほとんど１回ないし２回入力キーを押すことによって、早く入力することができる。
携帯電話端末、デジタル家電のひらがな（文字、記号、数字、絵）入力も従来、１〜５回の入力キーを押す回数がほとんど１回か２回、入力キーを押すことによって入力できるので、メールの作成が早くなるし、他の入力操作も早くなる。
この、ひらがなと数字の対応表をもちいて、ひらがな（文字、記号、絵）などを早く入力できるものに、（文字、記号、絵、ひらがな、数字は画面表示はさせている）音声出力させると会話ができるものになる。必要であれば、２つケーブルでつないだりワイヤレスなどで会話がスムーズにできるもが、できあがる。
この、ひらがなと数字の対応表をもちいて、ひらがな（文字、数字、記号、絵）などの入力がゲーム機のコントローラーでも可能になる。
【発明の開示】
【発明の効果】
【０００４】  コンピュータ、パーソナルコンピュータ、携帯電話端末、デジタル家電、ゲーム機などのひらがな（文字、記号、絵、数字）入力の入力キーを、押す回数を少なくできることと、入力時間を短縮できる。
【図面の簡単な説明】
【０００５】
【図１】テンキーのみで入力する場合の、ひらがなと数字の対応表の配置図。１の行から０の行までのボタンと▲１▼の段から▲５▼の段までのボタンを、この図では同じボタンにしているがわけてもよい。
【図２】テンキーとその他のボタンにわけた時の、ひらがなと数字の対応表の配置図。１の行から０の行までのボタンと▲１▼の段から▲５▼の段までのボタンを、それぞれ、べつのボタンにわけた図。
【図３】キーボードの入力キーを、１行から０行と▲１▼の段から▲５▼の段の１０キーと４キーにわけた図。
【図４】テンキーで入力キーの数を切りかえボタンをもちいて少なくした図。
【図５】携帯できるコンピュータに▲Ａ▼スピーカーをつけて▲Ｂ▼文字表示させ、▲Ｃ▼ケーブルもしくは▲Ｃ▼″ワイヤレスで、ひらがなと数字の対応表をもちいて  ひらがな（文字、記号、絵、数字）入力を早く入力させて  会話のかわりにさせたもの。
【図６】図２の入力キーを切りかえボタンをもちいて少なくした図。
【手続補正３】
【補正対象書類名】図面
【補正対象項目名】全図
【補正方法】変更
【補正の内容】
【図１】
2008015999.tif 000008
【図２】
2008015999.tif 000009
【図３】
2008015999.tif 000010
【図４】
2008015999.tif 000011
【図５】
2008015999.tif 000012
【図６】
2008015999.tif 000013